(57)【要約】      （修正有）【課題】破魔矢や熊手など棒状部分を有する棒状体は長細い形状のため、本体を傷つけることなくしっかりと支持することが難しく、また棒状体を支持した状態から壁や支柱などに任意の位置に固定して飾ることが難しかった。棒状体をしっかりと保持しつつ、壁や支柱などに任意に留める棒状体支持具を提供する。【解決手段】可撓性素材でできた支持板１０ａの両端付近に棒状体の一部が貫通する支持穴２０ａを有しており、支持板１０ａをＵ字に曲げて２つの支持穴２０ａに棒状体（例えば破魔矢）を任意の位置まで通すと、支持板１０ａはその復元力によりアーチ状に曲がった状態で棒状体を支持する。支持板１０ａが棒状体を支持した状態で、支持板１０ａを壁や支柱に留めることで棒状体は壁や支柱にしっかりと取り付けられる。【選択図】図１
2020103689.tif 000002
【特許請求の範囲】
【請求項１】
可撓性を有する素材でできた支持板の両端近傍に支持穴を有することを特徴とする棒状体支持具。
【請求項２】
前記支持板の中央部のいずれかの位置に少なくとも１つ以上の留め部を有することを特徴とする請求項１に記載の棒状体支持具。
【発明の詳細な説明】
【技術分野】
【０００１】
本発明は、室内に飾る破魔矢や熊手などの棒状体を支持し、壁や台などに取り付けることのできる支持具に関するものである。
【背景技術】
【０００２】
従来より、破魔矢や熊手などの棒状体を飾るための台や器具はあったが、これらは台に空けられた穴に棒状体の先端を差し込むものや（例えば特許文献１）、破魔矢などの棒状体が嵌まる溝を設けた装飾台（例えば特許文献２）があった。また、基板に切れ目を入れて、切れ目の山折り谷折りの弾性力で破魔矢を保持したり基板の切れ目や穴に輪ゴムや紐を用いて破魔矢を保持する飾り用具があった（例えば特許文献３）。
【先行技術文献】
【特許文献】
【０００３】
【特許文献１】特許第６２５９１５４号
【特許文献２】特許第４８９７３０２号
【特許文献３】特開平９−１５４７０７
【発明の概要】
【発明が解決しようとする課題】
【０００４】
破魔矢などの棒状体を飾る際に、破魔矢などの棒状体の構造は本体を傷つけることなく、美しく飾るために方向を自由に（斜めや垂直に）飾ることが難しかった。
例えば破魔矢を壁に飾る場合、釘などを用いて壁に２か所水平にフックを取り付けて、その２つのフックに破魔矢を水平に横たわらせて飾る方法がある。
また、特許文献１の機能性お札立てでは台座に穴をあけて、破魔矢の先端を穴に差し込んで支持する方法が記載されているが、支点と重心が離れているため安定感に欠けており、絵馬などのついた破魔矢は上部が重くなるため安定するためには台がかなり重くなくてはならないという問題があった。
特許文献２の破魔矢の室内装飾台では斜めに飾ることができるが、あらかじめ設けられた溝の角度に依存しており、任意に角度を変化させることはできなかった。また、破魔矢を溝内に固定するために弾性素材の固定具が必要であり、破魔矢の色々な太さのすべてに対応するには複数の固定具が必要であった。更に、壁に留める際に、一般的には画鋲を用いると簡単であるが、特許文献２に記載の破魔矢の室内装飾台では画鋲で壁に留めることができなかった。
特許文献３の御札、破魔矢類の飾り用具では破魔矢を支持する部位の支持力が弱く、絵馬などが付属している装飾の多い破魔矢では下方に滑ったり、外れる恐れがあった。ゴムや紐で結び留める構造になっているが、ゴムや紐で留めるのは作業が煩雑で、飾った際の美観を損ねた。
【０００５】
従来の方法では、破魔矢などの棒状体に対し以下のテーマを同時にすべて満たすものがなかった。
・壁に対して自由な向き（水平方向であったり、鉛直方向であったり、斜めの方向など）に飾る
・棒状体の任意の位置でしっかり支持してずれない
・使用時に本体を傷つけない
・本体の支持に際して別の付属品を用いない
・画鋲を用いて、壁や支柱に留めることができる
・簡素な構造で作りやすい
【課題を解決するための手段】
【０００６】
本発明は、可撓性素材でできた支持板の両端付近に棒状体の一部が貫通する支持穴を有しており、支持板の中央付近には支持板を壁や支柱などに留めるための留め部を有している。支持板をＵ字に曲げて２つの支持穴に棒状体（例えば破魔矢）を任意の位置まで通すと、支持板はその復元力によりアーチ状に曲がった状態で棒状体を支持する。
【０００７】
可撓性を有する支持板の弾性度と長さにより、支持板が棒状体を支持することのできる重量が変化する。支持板の弾性度と長さが適切であれば、支持板を鉛直方向に３６０度回転させても棒状体は支持穴から抜け落ちることはない。
【発明の効果】
【０００８】
本発明である棒状体支持具は支持板により破魔矢などの棒状体を支持し、その支持板を画鋲や釘、接着剤など様々な方法で取り付けることができるため、棒状体をいろいろな場所に支持して飾ることができる。例えば、壁に支持板を画鋲で任意の角度で留めることができるため、ユーザーの気に入った飾り方ができる。
【０００９】
本発明である棒状体支持具は棒状体の部位を持つ物品であれば支持することができる。
即ち、棒状体の一部が棒に比して大きな部位を持っている物品（例えば、金槌やドライバーや熊手）であっても、棒状の部位があるため棒状体支持具を用いて任意の位置に支持することができる。
【００１０】
本発明は簡素な機構で棒状体を支持できる。支持板は可撓性ある板に穴がある構造であるため、製造が容易であり低コストで製造することができる。例えば、ポリカーボネート・塩化ビニル・ポリエチレン・アクリルなどの合成樹脂板を使用したり、竹や木の集成材シートを用いたり、厚紙を用いることもでき、それぞれ成形加工が容易である。
【図面の簡単な説明】
【００１１】
【図１】本発明第一の実施形態の正面図
【図２】本発明第一の実施形態の平面図
【図３】本発明第一の実施形態の斜視図
【図４】本発明第一の実施形態へ棒状体を取り付ける状態を表す図
【図５】本発明第一の実施形態を用いて破魔矢を壁に飾る状態を表す図
【図６】本発明第一の実施形態を用いて破魔矢を支柱に飾る状態を表す図
【図７】本発明第二の実施形態の正面図
【図８】本発明第三の実施形態の正面図
【発明を実施するための形態】
【００１２】
（基本構成）
図１乃至図３に示すとおり、本発明の第一の実施形態である棒状体支持具１ａは可撓性を有した薄い板でできている支持板１０ａを主たる部材としてできており、支持板１０ａの両端付近には棒状体の一部が貫通する支持穴２０ａが設けられている。
支持板１０ａの中央部付近には支持板１０ａを壁や支柱などに画鋲等の針を有する固定具で留めるための留め部３０ａを設けている。
留め部は貫通している穴でもよいし、貫通していない溝でもよいし、貫通しやすい素材でできている部位でもよい。
【００１３】
（棒状体の取付け）
図４に示すとおり、指先で支持板１０ａの中央部付近と左右の端付近に対して逆方向に力を入れると（例えば中央部付近は下方向に力を入れ、左右の端付近には上方向に力を入れる）、支持板１０ａは浅いＵ字形状に曲がり、支持板１０ａの両端に位置する支持穴２０ａは曲がるにつれて次第に向き合うようになる。図４のように支持板１０ａが浅いＵ字形状になった状態で、棒状体（説明では破魔矢４１を使用する）の片端を２つの支持穴２０ａに挿通する。一方の支持穴２０ａは裏面から表面に向かって通し、もう一方の支持穴２０ａには表面から裏面に向かって通す。任意の位置まで支持穴２０ａに破魔矢４１を通し、指を外すと可撓性を有する支持板１０ａは曲がった状態から元の平らな状態に戻る復元力により、棒状体である破魔矢４１は支持穴２０ａにより支持される。
破魔矢４１など棒状体を支持する支持板１０ａの位置は棒状体の重心に近いほど安定する。
支持板１０ａを持って、様々な方向に回転させても破魔矢４１は支持穴２０ａから抜け落ちることはない。
図４に記載のとおり、破魔矢４１の径に比して支持穴２０ａの径は随分大きくできている。こうすることで、いろいろな径の破魔矢４１に対応できる。また、支持穴２０ａの径の大小が支持力に影響することは殆どない。即ち支持穴２０ａの径が大きいからと言って破魔矢４１が抜け落ちることはない。
尚、図面上で支持穴２０ａは真円形状となっているが、支持穴２０ａは楕円や方形などであっても良い。
【００１４】
（支持板の取付け）
本発明である棒状体支持具１ａを構成する支持板１０ａにより棒状体（例えば破魔矢４１）を支持している状態ができるので、支持板１０ａを任意の場所に取り付けることにより、棒状体である破魔矢４１をユーザーのお好みの場所に飾ることができる。
例えば図５は、棒状体支持板１ａにより棒状体である破魔矢４１の壁６０への取り付けを例示している。破魔矢４１は棒状体支持板１ａにより支持された状態にあり、壁４１に対して斜めにした状態で、支持板１０ａの概ね中央部に位置する留め部３０ａの穴のうち破魔矢４１を挟んで上下２か所に画鋲４０を差し込んで壁６０に留めている。
尚、棒状体支持具１ａの留め部３０ａとして図１乃至図６に記載のとおり６個の留め部３０ａを設けているが、留め部３０ａの個数は６個に限らず１個以上であれば良い。
また、留め部３０ａは穴に限らず、画鋲や釘などの固定具の針が貫通するような柔らかい素材部位や溝であっても良い。
【００１５】
（飾り台への取付け）
図６は本発明である棒状体支持具１ａを用いた例で、壁ではなく移動できる飾り台５０の支柱５２に棒状体を飾る例を表している。
飾り台５０の支柱５２上にて棒状体支持具１ａが回転するようにするため棒状体支持具１ａの概ね中心に別途穴を設けたうえで回転軸３１ａを取り付ける。破魔矢４１の先端から支持穴２０ａに通して、適当な位置で支持する。棒状体支持具１ａは支柱５３が回転軸３１を中心に回転することができるため、図６（Ｃ）が示す通り画鋲４０を留め部３０ａに挿通し、支柱５２に画鋲４０の針が差し込むことにより棒状体支持具１ａの回転が制限されユーザーがお好みの角度で破魔矢４１を飾り台５０に飾ることができる。
【００１６】
（第二実施形態）
図７は本発明の第二の実施形態である棒状体支持具１ｂである。第二の実施形態である棒状体支持具１ｂは第一の実施形態である棒状支持具１ｂから留め部３０ａを除いたものである。
棒状体支持具１ｂの支持穴２０ｂに棒状体を挿入した状態で、棒状体支持具１ｂの支持板１０ｂの中央背面側に両面テープを貼付し、もう片方の両面テープの粘着面を壁に貼付する方法で棒状体支持具１ｂにより支持された棒状体を壁などに飾っても良い。
或いは、ユーザーが支持板１０ｂの中央部辺りの任意の場所に穴をあけて任意の固定具（例えば釘や画鋲）を用いて棒状体支持具１ｂを留めることができる。
【００１７】
（第三実施形態）
図３は本発明の第二の実施形態である棒状体支持具１ｃである。支持板１０ｃの中央部付近の幅を広くすることにより、例えば支持板１０ｃを支柱などに留めるに際しての中央部背面に接着剤を画鋲などの固定具と併用して留めを強化する場合に有効である。また、支持穴２０ｃに挿通する棒状体が太い場合は、留め部３０ｃが隠れて使用できなくなる場合があるため、中央部を広くして留め部３０ｃに使用する画鋲４０と棒状体が干渉しないようになっている。
【実施例１】
【００１８】
本発明の第一の実施形態である棒状体支持具１ａの支持板１０ａの長手方向の長さを２５ｃｍとし、幅を３ｃｍ、支持穴２０ａの直径を２．５ｃｍとした。支持板１０ａの素材は塩化ビニル板を用い、厚さは１．５ｍｍとした。
長さ６５ｃｍ、重さ８０グラム、棒状体の直径１０ｍｍの破魔矢４１を２つの支持穴２０ａに挿通し、破魔矢４１の中心が支持板１０ａの概ね中心となる位置に破魔矢４１を支持した。留め部３０ａの２つに画鋲４０を差し込み、破魔矢４１を支持した棒状体支持具１ａを壁６０上に破魔矢４１が鉛直方向に飾られるように留めた。破魔矢４１は棒状体支持具１ａからずれて落ちることなく、壁面に飾られた。
また、上記の破魔矢４１の状態において破魔矢４１の羽の下部に３００グラムの板を取り付けてみたところ、破魔矢４１は棒状体支持具１ａからずれて落ちることなく、壁面に飾られた。
【産業上の利用可能性】
【００１９】
棒状体の物は沢山存在するが、特に破魔矢や熊手は縁起物であり本体に穴をあけたり接着することは敬遠される。本発明である棒状体支持具は、破魔矢や熊手など棒状体を有する縁起物を一旦棒状体支持具で支持した状態で、棒状体支持具を壁や飾り台などに留めるものである。丁寧に扱うことが文化風習として求められる破魔矢や熊手を飾る際にはとても有効である。また、飾る（祀る）ときの角度も部屋のつくりや他の装飾品とのバランスもあり、ユーザーの任意の角度で破魔矢や熊手などの棒状体を飾ることができることは、ユーザーにとっての付加価値は高い。
【００２０】
本発明は棒状体のものであれば様々な物品を支持することができる。例えば、ペン類などの筆記具やハサミや物差しなどの文具、ドライバーやスパナなどの工具などに応用が可能である。支持板の長さや素材や厚みを変えることにより、利便性の高い支持具となることが可能である。
【符号の説明】
【００２１】
１ａ      棒状体支持具
１ｂ      棒状体支持具
１ｃ      棒状体支持具
１０a     支持板
１０ｂ    支持板
１０ｃ    支持板
２０ａ    支持穴
２０ｂ    支持穴
２０ｃ    支持穴
３０ａ    留め部
３０ｃ    留め部
３１ａ    回転軸
４０      画鋲
４１      破魔矢
５０      飾り台
５１      台座
５２      支柱
６０      壁
【図１】
2020103689.tif 000003
【図２】
2020103689.tif 000004
【図３】
2020103689.tif 000005
【図４】
2020103689.tif 000006
【図５】
2020103689.tif 000007
【図６】
2020103689.tif 000008
【図７】
2020103689.tif 000009
【図８】
2020103689.tif 000010